(57)【要約】  【課題】  円形支柱に柵体を広角で取付け得る、防護柵の柵体取付け用金具を提供する。  【解決手段】  支柱１への取付け部が円弧状に形成され、その円弧状の支柱取付け部の両端対向面部に柵体取付け部を備える略Ｕ字状に形成された第１取付け金具２と第２取付け金具３からなる防護柵の柵体取付け用金具であって、第１取付け金具２の支柱取付け部が中央に円弧状面に沿う長孔状の開口部１２とその上下のバンド部１０、１１とを備え、一方、第２取付け金具３の支柱取付け部が前記第１取付け金具２の支柱取付け部の開口部１２の幅より小幅のバンド部１８を備え、そのバンド部１８の上下に前記第１取付け金具２の支柱取付け部のバンド部１０、１１に係合する突起部２０が形成され、更にバンド部１８に支柱１への取付け用ボルト孔１９が形成されてなる  【選択図】        図１
2005188032.tif 000002
【特許請求の範囲】
【請求項１】
支柱への取付け部が円弧状に形成され、その円弧状の支柱取付け部の両端対向面部に柵体取付け部を備える略Ｕ字状に形成された第１取付け金具と第２取付け金具からなる防護柵の柵体取付け用金具であって、第１取付け金具の支柱取付け部が中央に円弧状面に沿う長孔状の開口部とその上下のバンド部とを備え、一方、第２取付け金具の支柱取付け部が前記第１取付け金具の支柱取付け部の開口部の幅より小幅のバンド部を備え、そのバンド部の上下に前記第１取付け金具の支柱取付け部のバンド部に係合する突起部が形成され、更にバンド部に支柱への取付け用ボルト孔が形成されてなることを特徴とする防護柵の柵体取付け用金具。
【発明の詳細な説明】
【技術分野】
【０００１】
本発明は、道路等に設置される防護柵の柵体取付け用金具に関し、詳細には、適宜間隔をおいて建植された複数本の円形支柱間に、横ビーム（管や棒など）や防音パネルなどの柵体が取付けられてなる防護柵の、柵体を円形支柱に取付けるための金具に関するものである。
【背景技術】
【０００２】
従来より、道路等に設置される防護柵として、例えば実開昭５８−７６６２２号公報（特許文献１）や実開昭６２−１９６２２３号公報（特許文献２）に示されるような円形支柱間にブラケットを介して横ビームを取付けた形式の防護柵が知られている。
【０００３】
上記防護柵における横ビームの円形支柱への取付け構造は、例えば特許文献２の図面を引用した図４に示すように、円形支柱３１にブラケット３２を介して横ビーム３３を取付ける構造であって、円形支柱３１には、横ビーム３３に平行する方向にブラケット３２を取付けるための取付けボルト３４を挿通するためのボルト孔３５が形成され、一方、ブラケット３２の円形支柱３１への取付け側の面は曲面に形成され、その面には前記取付けボルト３４を挿通するための縦方向（上下方向）又は横方向の長孔が形成されている。
【０００４】
従って、上記の取付け構造では、ブラケット３２の曲面と長孔とによって、円形支柱３１に対してブラケット３２を縦方向又は横方向に傾斜を持たせて取付けることができ、これによって横ビーム３３を、坂道などの傾斜あるいは道路のカーブに沿う傾きで防護柵の施行ができる。また特許文献１に示されているようにブラケット３２と横ビーム３３を回動可能に取付ける構造とすることによって、更に回動方向に傾斜を大きく持たせることができる。
【０００５】
しかしながら、上記の取付け構造では、円形支柱３１の両側面に設けたボルト孔３５、３５に１本の取付けボルト３４を挿通して取付ける構造であるため、道路のカーブなど急な曲線や角度を描く場所には防護柵の施行ができない。施行するためには、円形支柱３１の両側面に設けるボルト孔３５、３５を予めカーブに沿うように位置をずらせて設け、それぞれのボルト孔３５、３５に別々の取付けボルトを用いてブラケット３２を取付ける必要がある。このため、防護柵の施行場所が制約され汎用性に制約を生じることになる。
【特許文献１】実開昭５８−７６６２２号公報
【特許文献２】実開昭６２−１９６２２３号公報
【発明の開示】
【発明が解決しようとする課題】
【０００６】
本発明は、上記の問題点を改善するためになしたものであって、その目的は、円形支柱に柵体を広角で取付け得る、防護柵の柵体取付け用金具を提供するものである。
【課題を解決するための手段】
【０００７】
上記の目的を達成するために、本発明（請求項１）に係る防護柵の柵体取付け用金具は、支柱への取付け部が円弧状に形成され、その円弧状の支柱取付け部の両端対向面部に柵体取付け部を備える略Ｕ字状に形成された第１取付け金具と第２取付け金具からなる防護柵の柵体取付け用金具であって、第１取付け金具の支柱取付け部が中央に円弧状面に沿う長孔状の開口部とその上下のバンド部とを備え、一方、第２取付け金具の支柱取付け部が前記第１取付け金具の支柱取付け部の開口部の幅より小幅のバンド部を備え、そのバンド部の上下に前記第１取付け金具の支柱取付け部のバンド部に係合する突起部が形成され、更にバンド部に支柱への取付け用ボルト孔が形成されてなる物である。
【０００８】
上記の構成では、第２取付け金具がそのバンド部を取付けボルトによって円形支柱に取付けられ、そのバンド部の上下に形成した突起部に係合して第１取付け金具の支柱取付け部の上下のバンド部が、円形支柱の外方に外れることなく円形支柱の周方向に摺動可能に設けられているので、第１取付け金具の支柱取付け部の長孔状の開口部の一方端から他方端までの間で取付け角度を変えることができ、円形支柱に柵体を広角で取付けることができる。
【発明の効果】
【０００９】
本発明に係る防護柵の柵体取付け用金具によれば、円形支柱に柵体を広角で取付けることができるので、適宜間隔をおいて建植された複数本の円形支柱間に柵体が取付けられてなる防護柵を、道路のカーブなど急な曲線や角度を描く場所はもとより、このようなカーブと同時に傾斜した場所であっても施行することができ、施行場所が制約されることなく防護柵を施行できる。
【発明を実施するための最良の形態】
【００１０】
以下、本発明の実施形態を図面に基づいて説明する。図１は、本発明に係る防護柵の柵体取付け用金具の説明図であって、ａは第１取付け金具の上面図、ｂはａの正面図、ｃは第２取付け金具の上面図、ｄはｃの正面図、ｅはｄの左側面図、図２は、本発明に係る防護柵のブラケットの説明図であって、ａは上面図、ｂは正面図、ｃは右側面図、図３は、本発明に係る防護柵の柵体取付け用金具の使用形態を示す正面図である。図において、１は円形支柱、２は第１取付け金具、３は第２取付け金具、４はブラケットである。
【００１１】
第１取付け金具２は、帯状の金属板５を、その両端部（両端対向面部）６、７に長方形のボルト孔８、９及び中央部に上下にバンド部１０、１１を形成するように長孔状の開口部１２を形成し、然る後、中央部のバンド部１０、１１を円形支柱１に挿通し得る円弧状（本例では約２６０度）の支柱取付け部に形成するとともに、ボルト孔８、９を形成した両端部６、７が、その間にブラッケト４を収納し得る幅で対向し得る形状に形成されたものである。
【００１２】
第２取付け金具３は、帯状の金属板１３を、その両端部（両端対向面部）１４、１５に長方形のボルト孔１６、１７を形成し、一方、中央部のバンド部１８の幅を上記第１取付け金具２の長孔状の開口部１２の幅よりわずかに小さい幅（例えば幅の差で１ｍｍ程度）に形成するとともに、そのバンド部１８を円形支柱１に取付けるための長方形状のボルト孔１９を、円形支柱１に取付けた状態で対向する２箇所に形成し、更に、バンド部１８の上下の１箇所に金属板１３の厚さより外方に突出させて突起部２０を形成し、然る後、中央部のバンド部１８を円形支柱１に挿通し得る円弧状（本例では約２６０度）の支柱取付け部に形成するとともに、ボルト孔１６、１７を形成した両端部１４、１５が、その間にブラッケト４を収納し得る幅で対向し得る形状に形成されたものである。
【００１３】
ブラケット４は、図２、３に示すように、柵体２１が管（横ビーム）２２である場合に第１取付け金具２の両端部６、７や第２取付け金具３の両端部１４、１５との間に介在せしめて管２２の管端を取付けるためのものであって、断面Ｕ字状の部材からなり、円形支柱１側の対向部の端面が円弧状に形成され、これにより傾斜地へ取付ける際の上下方向の大きな角度に対応し得るようにしている。また、その対向部には、補強用の突出部２３が形成されるとともに、第１取付け金具２のボルト孔８、９や第２取付け金具３のボルト孔１６、１７に対応させてボルト孔２４、２５が形成されている。また、頂部には管２２の管端を取付けるためのボルト孔２６が形成されている。
【００１４】
上記の構成の防護柵の柵体取付け用金具は、図３に示すように施行して使用される。即ち、まず、第１取付け金具２の開口部１２に第２取付け金具３のバンド部１８を装入し、第１取付け金具２のバンド部１０、１１と第２取付け金具３のバンド部１８とで円形状の中空部を形成する。このとき、第１取付け金具２の両端部６、７と第２取付け金具３の両端部１４、１５は何れも外向きとなるようにセットする。次いで、立設されている円形支柱１の上方より前記中空部を円形支柱１に通し、所定の取付け位置まで下ろす。その位置で、第２取付け金具３のバンド部１８のボルト孔１９と円形支柱１に形成されたボルト孔（図示せず）とに取付けボルトを挿通して、第２取付け金具３を円形支柱１に取付け固定する。
【００１５】
この後、予めブラケット４を横ビームとなる管２２の管端に取付けておき、そのブラケット４のボルト孔２４、２５と第１取付け金具２の両端部６、７のボルト孔８、９又は第２取付け金具３の両端部１４、１５のボルト孔１６、１７とに取付けボルト２７を挿通して、ブラケット４を第１取付け金具２の両端部６、７又は第２取付け金具３の両端部１４、１５に取付け固定する。この第１取付け金具２の両端部６、７にブラケット４を取付けボルト２７で固定する前は、第１取付け金具２は円形支柱１に対して回動自在であり、またブラケット４は上下方向に回動自在であり、これにより、左右の管２２、２２の角度は円形支柱１を回動中心として本例では約２６０度の範囲で変えることができる。また、上下方向の傾きも変えることができる。これにより、傾斜があり、且つ急なカーブの道路などでもその道路の地形に沿わせて防護柵を施行することができる。
【図面の簡単な説明】
【００１６】
【図１】本発明に係る防護柵の柵体取付け用金具の説明図であって、ａは第１取付け金具の上面図、ｂはａの正面図、ｃは第２取付け金具の上面図、ｄはｃの正面図、ｅはｄの左側面図である。
【図２】本発明に係る防護柵のブラケットの説明図であって、ａは上面図、ｂは正面図、ｃは右側面図である。
【図３】本発明に係る防護柵の柵体取付け用金具の使用形態を示す正面図である。
【図４】従来の防護柵の柵体取付け用金具の使用形態を示す説明図であって、ａは支柱に横ビームを水平に取付けた場合、ｂは支柱に横ビームを上下方向に傾斜させて取付けた場合、ｃは支柱に横ビームを角度を持たせて取付けた場合の説明図である。
【符号の説明】
【００１７】
１：円形支柱            ２：第１取付け金具      ３：第２取付け金具
４：ブラケット          ５：帯状の金属板        ６、７：両端部
８、９：ボルト孔      １０、１１：バンド部    １２：開口部
１３：帯状の金属板      １４、１５：両端部      １６、１７：ボルト孔
１８：バンド部          １９：ボルト孔          ２０：突起部
２１：柵体              ２２：管（横ビーム）    ２３：補強用の突出部
２４、２５：ボルト孔    ２６：ボルト孔          ２７：取付けボルト
【図１】
2005188032.tif 000003
【図２】
2005188032.tif 000004
【図３】
2005188032.tif 000005
【図４】
2005188032.tif 000006